(57)【特許請求の範囲】
【請求項１】
ボタン状に突出した突部が電極部に形成された乾電池を収容する乾電池収容装置であって、
前記乾電池を収容する収容部の電極端子に、前記突部の角部に当接する略円錐凹面状又は略半球凹面状の湾曲凹面が設けられたことを特徴とする乾電池収容装置。
【請求項２】
前記湾曲凹面を前記突部に向けて付勢する付勢機構を設けたことを特徴とする請求項１に記載の乾電池収容装置。
【発明の詳細な説明】
【０００１】
【発明の属する技術分野】
本発明は、突状の電極部が形成された乾電池を収容する乾電池収容装置に関する。
【０００２】
【従来の技術】
乾電池を利用する電子機器には、乾電池を収容する収容部が設けられている。この収容部に、例えば円筒状の乾電池が収容されると、乾電池の長手方向両端に形成された電極部が、収容部に設けられた電極端子に接触した状態になる。
【０００３】
このような電子機器では、収容した乾電池の導通抵抗を安定させるために、電子機器に衝撃等の外力が加えられても乾電池が移動せずに良い接触条件が維持されることが望まれている。
【０００４】
この接触条件の維持のために、通常、乾電池のハウジングを外側から押圧することにより乾電池を固定しており、更には、上記の電極端子をばね部材で構成することにより乾電池の電極部を挟み込ませる構造にすることも行われている。
【０００５】
【発明が解決しようとする課題】
しかし、乾電池の寸法公差を考慮すると、上記の収容部の構造をガタをもたせた構造にせざるを得ない。このため、乾電池のハウジングを外側から押圧することや、収容部の電極端子による挟込み圧力で保持することのみでは、衝撃等の外力が電子機器に加えられた際の乾電池の移動防止が困難であるという問題があった。
【０００６】
なお、図９に示すように、特開２００１−２４３９３４には、収容部８２の負極側の電極端子８８を傾けることが開示されているが、上記の問題を解決することには至らない。
【０００７】
本発明は、上記事実を考慮して、乾電池の寸法公差に影響されることなく、電子機器に外部から衝撃等の外力が加えられても乾電池の良好な接触状態を維持できる乾電池収容装置を提供することを課題とする。
【０００８】
【課題を解決するための手段】
請求項１に係る発明は、ボタン状に突出した突部が電極部に形成された乾電池を収容する乾電池収容装置であって、前記乾電池を収容する収容部の電極端子に、前記突部の角部に当接する略円錐凹面状又は略半球凹面状の湾曲凹面が設けられたことを特徴とする。
【０００９】
湾曲凹面と乾電池の突部の角部とが当接し易いように、湾曲凹面の開口側の大きさは、通常、乾電池の突部の径よりも大きくされている。
【００１０】
このように、請求項１に係る発明では、ボタン状に突出した突部が乾電池の電極部に形成されていることを利用しており、乾電池が収容部に収容されると、乾電池の突部の角部が湾曲凹面に当接した状態になる。
【００１１】
これにより、乾電池の電極部と収容部の電極端子との接触面積が増大すると共に、乾電池を収容した状態で収容部に衝撃等の外力が加えられても、電極部と電極端子とが離れ難い構造にすることができる。従って、電極部と電極端子との接触抵抗、すなわち乾電池と収容部との接触抵抗を安定した値に維持し易い。また、このことによって、乾電池の寿命を延ばすという効果も奏することができる。
【００１２】
ここで、円錐凹面とは円錐状に凹んだ面のことである。湾曲凹面が略円錐凹面状であると、突部と湾曲凹面との接触状態を更に安定させ易いと共に、乾電池を収容部に容易に着脱できる構造にし易い。
また、湾曲凹面が略半球凹面（略半球状に凹んだ面）状であると、深絞り加工などにより当接部を容易に形成し易い。
【００１３】
請求項２に係る発明は、前記湾曲凹面を前記突部に向けて付勢する付勢機構を設けたことを特徴とする。
【００１４】
この付勢機構を設けるには、例えば、電極端子を、上記の湾曲凹面を形成した板バネで構成してもよい。
【００１５】
請求項２に係る発明により、収容部との間に生じる乾電池のガタを容易になくすことができる。
【００１６】
【発明の実施の形態】
以下、カメラに設けられた乾電池収容装置を例に挙げ、本発明の実施の形態について説明する。
【００１７】
［第１形態］
図１〜図３に示すように、第１形態では、円筒状の乾電池１０を収容する収容部１５がカメラに設けられている。この収容部１５の正極側の電極端子（以下、正極端子という）１６は、板バネ状であり、収容部１５に収容された乾電池１０を収容部１５の負極側の電極端子（以下、負極端子という）１８に向けて付勢するようになっている。
【００１８】
正極端子１６には、乾電池１０の正極部１１に形成された突部１２に当接する当接部１７が形成されている。すなわち、当接部１７には、円錐凹面状の湾曲凹面１７Ｓが形成されており、乾電池１０が収容部１５に収容されると、突部１２の角部１２Ｅが湾曲凹面１７Ｓに押圧される。また、突部１２の角部１２Ｅが当接部１７に収容され易い構造にするために、湾曲凹面１７Ｓの開口径Ｄは正極部１１の径ｄよりも大きくされている。当接部１７は、通常、深絞り加工によって形成される。
【００１９】
負極端子１８は、従来と同様の渦巻きばねで構成され、乾電池１０を正極端子１６に向けて付勢する構造にされている。
【００２０】
乾電池１０を収容部１５に収容すると、乾電池１０の突部１２の角部１２Ｅが当接部１７の湾曲凹面１７Ｓに当接する。湾曲凹面１７Ｓの開口径Ｄが、乾電池１０の突部１２の径ｄよりも大きいので、角部１２Ｅが湾曲凹面１７Ｓから外れ難い。また、正極端子１６の板バネ構造により、及び、負極端子の渦巻きばね構造により、当接部１７と突部１２とが互いに押圧される向きに付勢される。
【００２１】
これにより、衝撃等の外力がカメラに加えられても、乾電池１０が収容部１５にセットされた状態から動かず、乾電池１０の突部１２と収容部１５の正極端子１６との接触状態、及び、乾電池１０の負極部９と収容部１５の負極端子１８との接触状態が、何れも良好な状態で維持される。従って、乾電池１０の寸法公差に影響されることなく、外部から衝撃等の外力が加えられても乾電池１０と収容部１５との接触抵抗を安定した状態に維持することができる。
【００２２】
なお、図４、図５に示すように、クッション性の弾性部材２０を当接部１７の外側面（湾曲凹面１７Ｓとは反対側）１７Ｒに貼り付けておいてもよい。これにより、乾電池１０を収容部１５に収容したときに、湾曲凹面１７Ｓが突部１２に向けて更に付勢される。
【００２３】
［第２形態］
次に、第２形態について説明する。第２形態では、第１形態と同様の構成要素には同じ符号を付してその説明を省略する。
【００２４】
図６〜図８に示すように、第２形態では、乾電池１０を収容する収容部３５の正極端子３６の当接部３７の形状がやや異なっており、当接部３７の湾曲凹面３７Ｓの形状が半球凹面状にされている。
【００２５】
第２形態により、第１形態と同様の効果を奏することができる。また、当接部３７の外側面３７Ｒが半球面状の丸みを帯びた形状にされ、尖った形状にならない。
【００２６】
以上、実施形態を挙げて本発明の実施の形態を説明したが、上記実施形態は一例であり、当接部の形状を変更する等、要旨を逸脱しない範囲内で種々変更して実施できる。また、本発明の権利範囲が上記実施形態に限定されないことは言うまでもない。
【００２７】
【発明の効果】
本発明は上記構成としたので、以下の効果を奏することができる。
【００２８】
請求項１に係る発明によれば、乾電池を収容した状態で収容部に衝撃等の外力が加えられても、乾電池の電極部と収容部の電極端子との接触抵抗を安定した値に維持し易い。また、このことによって、乾電池の寿命を延ばすという効果も奏することができる。
そして、湾曲凹面が略円錐凹面状であると、突部と湾曲凹面との接触状態を安定させ易いと共に、乾電池を収容部に容易に着脱できる構造にし易い。また、湾曲凹面が略半球凹面（略半球状に凹んだ面）状であると、深絞り加工などにより当接部を容易に形成し易い。
【００２９】
請求項２に係る発明によれば、収容部との間に生じる乾電池のガタを容易になくすことができる。
【図面の簡単な説明】
【図１】  第１形態で、乾電池を収容する収容部を示す側面図である（乾電池が収容されていない状態）。
【図２】  第１形態で、乾電池を収容する収容部を示す側面図である（乾電池が収容されている状態）。
【図３】  図２の部分拡大図である。
【図４】  第１形態の変形例を示す側面図である（乾電池が収容されていない状態）。
【図５】  第１形態の変形例を示す側面図である（乾電池が収容されている状態）。
【図６】  第２形態で、乾電池を収容する収容部を示す側面図である（乾電池が収容されていない状態）。
【図７】  第２形態で、乾電池を収容する収容部を示す側面図である（乾電池が収容されている状態）。
【図８】  図７の部分拡大図である。
【図９】  図９（Ａ）から（Ｃ）は、それぞれ、従来の乾電池収容ボックスに乾電池を収容させる手順を示す側面断面図である。
【符号の説明】
１０  乾電池
１１  正極部（電極部）
１２  突部
１２Ｅ  角部
１５  収容部
１６  正極端子（電極端子）
１７Ｓ  湾曲凹面
３５  収容部
３６  正極端子（電極端子）
３７Ｓ  湾曲凹面
８２  収容部
【図１】
0004291547.tif 000002
【図２】
0004291547.tif 000003
【図３】
0004291547.tif 000004
【図４】
0004291547.tif 000005
【図５】
0004291547.tif 000006
【図６】
0004291547.tif 000007
【図７】
0004291547.tif 000008
【図８】
0004291547.tif 000009
【図９】
0004291547.tif 000010